(57)【特許請求の範囲】
【請求項１】
波長多重光信号を増幅する光増幅器と、
増幅された波長多重光信号を複数の波長の光信号に分波する分波器と、
分波された各光信号を識別再生する光受信器と、
識別再生された各光信号の符号誤り訂正を行う誤り訂正部と、
各光信号の符号誤り発生状態を監視するとともに、前記光増幅器の利得および前記光受信器の受信識別レベルを調整する制御部と、
を備え、
前記制御部は、ある波長の光信号を受信する光受信器の受信識別レベルを調整するとき、他の波長の光信号の符号誤り発生状態が前記誤り訂正部の訂正能力を超えない範囲で前記光増幅器の利得を通常運用時よりも低下させ、その状態で受信識別レベルを最適値に調整することを特徴とする光受信装置。
【請求項２】
前記制御部は、ある波長の光信号の誤り訂正数が最少となるよう受信識別レベルを調整することを特徴とする請求項１に記載の光受信装置。
【請求項３】
前記制御部は、受信識別レベルの調整後、前記光増幅器の利得を通常運用時の利得に戻すことを特徴とする請求項１または２に記載の光受信装置。
【請求項４】
前記制御部は、ある光受信器の受信識別レベルの最適値を探索する際に、最適値に調整済みの他の光受信器の受信識別レベルを参照して、探索の初期値を設定することを特徴とする請求項１から３のいずれかに記載の光受信装置。
【請求項５】
前記制御部は、ある光受信器の起動時に、該光受信器の受信識別レベルの最適値調整を行うことを特徴とする請求項１から４のいずれかに記載の光受信装置。
【請求項６】
前記制御部は、当該光受信装置の通常運用中に、各光受信器について順次受信識別レベルの最適値調整を行うことを特徴とする請求項１から５のいずれかに記載の光受信装置。
【請求項７】
波長多重光信号を増幅する光増幅器と、
前記光増幅器の前段または後段に設けられた可変光減衰器と、
波長多重光信号を複数の波長の光信号に分波する分波器と、
分波された各光信号を識別再生する光受信器と、
識別再生された各光信号の符号誤り訂正を行う誤り訂正部と、
各光信号の符号誤り発生状態を監視するとともに、前記可変光減衰器の減衰量および前記光受信器の受信識別レベルを調整する制御部と、
を備え、
前記制御部は、ある波長の光信号を受信する光受信器の受信識別レベルを調整するとき、他の波長の光信号の符号誤り発生状態が前記誤り訂正部の訂正能力を超えない範囲で前記可変光減衰器の減衰量を通常運用時よりも上昇させ、その状態で受信識別レベルを最適値に調整することを特徴とする光受信装置。
【請求項８】
前記制御部は、ある波長の光信号の誤り訂正数が最少となるよう受信識別レベルを調整することを特徴とする請求項７に記載の光受信装置。
【請求項９】
前記制御部は、受信識別レベルの調整後、前記可変光減衰器の減衰量を通常運用時の減衰量に戻すことを特徴とする請求項７または８に記載の光受信装置。
【請求項１０】
前記制御部は、ある光受信器の受信識別レベルの最適値を探索する際に、最適値に調整済みの他の光受信器の受信識別レベルを参照して、探索の初期値を設定することを特徴とする請求項７から９のいずれかに記載の光受信装置。
【請求項１１】
前記制御部は、ある光受信器の起動時に、該光受信器の受信識別レベルの最適値調整を行うことを特徴とする請求項７から１０のいずれかに記載の光受信装置。
【請求項１２】
前記制御部は、当該光受信装置の通常運用中に、各光受信器について順次受信識別レベルの最適値調整を行うことを特徴とする請求項７から１１のいずれかに記載の光受信装置。
【発明の詳細な説明】
【技術分野】
【０００１】
本発明は、光信号を受信する光受信装置に関し、特に波長多重された光信号を受信する光受信装置に関する。
【背景技術】
【０００２】
従来、光通信装置は１Ｇｂｐｓや２．４Ｇｂｐｓといった伝送速度のものが中心であったが、技術の進歩により現在では１００Ｇｂｐｓに関する新しい技術が次々と発表され、光通信装置の伝送速度はさらに高速化している。また、伝送速度だけではなく、装置の小型化の要求も強く、これまで主流であった３００ｐｉｎ  ＭＳＡに変わってＸＦＰやＳＦＰといった小型の光送受信器が急速に普及を始めている。小型で高速の光送受信器を使いこなすためには、最適な調整が必要となる。そのパラメータの一つが、受信識別レベル制御電圧（ＲＸＤＴＶ：Receiver Decision  Threshold Voltage）である。
【０００３】
ＲＸＤＴＶは、受信した信号の「０」と「１」を識別する閾値レベルを決めるもので、ＭＳＡ（Multi-Source Agreements）団体により定義されている光受信器のスペックを最大限活かすためには、このＲＸＤＴＶを最適に保つ必要がある。
【０００４】
図１は、ＲＸＤＴＶとエラーレートの関係の一例を示す。図１に示すように、ＲＸＤＴＶを変化させるとエラーレートが変化する。ＲＸＤＴＶの最適値は光受信器の個体差によって異なるが、エラーレートが最小になるときのＲＸＤＴＶの値が最適値となる。また、ＲＸＤＴＶは光伝送路の状態によっても影響を受ける。図２は、光ファイバ伝送による累積の分散量と、ＲＸＤＴＶの最適値の関係の一例を示す。分散の影響で光信号のアイ開口の形状が歪むことにより、ＲＸＤＴＶの最適値が変動する。ＲＸＤＴＶは、この他にも温度、光入力レベル、波長によっても変動する。よって、光受信器においては、ＲＸＤＴＶを最適値に保つ制御を行うことが望ましい。
【０００５】
従来より、ＲＸＤＴＶを最適値に制御する方法として、長距離伝送された光信号に直流光を重畳した後、光受信器のＲＸＤＴＶを最適値に制御する方法（例えば特許文献１）が知られている。
【先行技術文献】
【特許文献】
【０００６】
【特許文献１】特開２００６−６０６４０号公報
【発明の概要】
【発明が解決しようとする課題】
【０００７】
しかしながら、複数の波長の光信号を多重した波長多重光信号を受信する光受信装置において、各光信号を受信する光受信器のＲＸＤＴＶを好適に調整する方法は未だ提案されていない。
【０００８】
本発明はこうした状況に鑑みてなされたものであり、その目的は、波長多重光信号を受信する光受信装置において、各光信号を受信する光受信器のＲＸＤＴＶを好適に調整することのできる技術を提供することにある。
【課題を解決するための手段】
【０００９】
上記課題を解決するために、本発明のある態様の光受信装置は、波長多重光信号を増幅する光増幅器と、増幅された波長多重光信号を複数の波長の光信号に分波する分波器と、分波された各光信号を識別再生する光受信器と、識別再生された各光信号の符号誤り訂正を行う誤り訂正部と、各光信号の符号誤り発生状態を監視するとともに、光増幅器の利得および光受信器の受信識別レベルを調整する制御部とを備える。制御部は、ある波長の光信号を受信する光受信器の受信識別レベルを調整するとき、他の波長の光信号の符号誤り発生状態が誤り訂正部の訂正能力を超えない範囲で光増幅器の利得を通常運用時よりも低下させ、その状態で受信識別レベルを最適値に調整する。
【００１０】
本発明の別の態様もまた、光受信装置である。この装置は、波長多重光信号を増幅する光増幅器と、光増幅器の前段または後段に設けられた可変光減衰器と、波長多重光信号を複数の波長の光信号に分波する分波器と、分波された各光信号を識別再生する光受信器と、識別再生された各光信号の符号誤り訂正を行う誤り訂正部と、各光信号の符号誤り発生状態を監視するとともに、可変光減衰器の利得および光受信器の受信識別レベルを調整する制御部とを備える。制御部は、ある波長の光信号を受信する光受信器の受信識別レベルを調整するとき、他の波長の光信号の符号誤り発生状態が誤り訂正部の訂正能力を超えない範囲で可変光減衰器の減衰量を通常運用時よりも上昇させ、その状態で受信識別レベルを最適値に調整する。
【００１１】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１２】
本発明によれば、波長多重光信号を受信する光受信装置において、各光信号を受信する光受信器のＲＸＤＴＶを好適に調整することができる。
【図面の簡単な説明】
【００１３】
【図１】ＲＸＤＴＶとエラーレートの関係の一例を示す図である。
【図２】光ファイバ伝送による累積の分散量と、ＲＸＤＴＶの最適値の関係の一例を示す図である。
【図３】本発明の実施形態に係る光伝送装置の構成を示す図である。
【図４】本発明の実施形態に係る光受信装置の構成をより詳細に示す図である。
【図５】本発明の実施形態に係る光受信装置の動作を説明するためのフローチャートである。
【図６】光ファイバにおける波長と分散の関係の一例を示す図である。
【図７】本発明の実施形態に係る光受信装置の別の動作を説明するためのフローチャートである。
【図８】本発明の別の実施形態に係る光受信装置の構成を示す図である。
【図９】本発明の別の実施形態に係る光受信装置の動作を説明するためのフローチャートである。
【発明を実施するための形態】
【００１４】
以下、図面を参照することにより、本発明の実施の形態について説明する。
【００１５】
図３は、本発明の実施形態に係る光伝送装置の構成を示す。図１に示す光伝送装置１００は、ＷＤＭ（Wavelength Division Multiplexing）光伝送装置であり、光送信装置１０と、光受信装置１１と、光伝送路１２とを備える。
【００１６】
光送信装置１０は、ｎ個（ｎは２以上の整数）の光送信器１４と、合波器１５とを備える。光送信器１４は、波長λ１〜λｎの光信号を出力する。各光送信器１４は、出力光信号に誤り訂正符号としてＦＥＣ（Forward Error Correction）符号を付加する機能を有する。合波器１５は、光送信器１４からの波長λ１〜λｎの光信号を合波して波長多重光信号を生成し、光伝送路１２に出力する。光伝送路１２は、シングルモードファイバが好適に用いられる。
【００１７】
光受信装置１１は、光増幅器１６と、分波器１７と、ｎ個の光受信器１８とを備える。光増幅器１６は、光伝送路１２を伝搬して減衰した波長多重光信号を一括して増幅する。分波器１７は、光増幅器１６にて増幅された波長多重光信号を波長λ１〜λｎの光信号に分波する。光受信器１８はそれぞれ、分波器１７にて分波された各光信号を電気信号に変換し、所定の信号処理を行う。
【００１８】
図４は、本発明の実施形態に係る光受信装置の構成をより詳細に示す。図４に示すように、光受信装置１１は、光増幅器１６と、分波器１７と、ｎ個のラインカード２１−１〜２１−ｎと、メイン制御部２２とを備える。
【００１９】
光伝送路１２から入力された波長多重光信号は、光増幅器１６で増幅された後、分波器１７により波長ごとに分波される。本実施形態では、光増幅器１６によりｎ波の光信号が生成される。光受信装置１１は、分波器１７から出力される光信号の波長数ｎと同じ数だけラインカードを有する。各ラインカード２１−１〜２１−ｎは、光受信器１８と、誤り訂正部２０と、ＲＸＤＴＶ制御部１９とを備える。
【００２０】
光受信器１８は、分波器１７からの光信号を受光して電気信号に変換する受光素子、電気信号からクロック信号を抽出するタイミング抽出回路、クロック信号を用いて電気信号を識別再生する識別再生回路などを有する。光受信器１８は、ＸＦＰ（10 Gigabit Small Form Factor Pluggable）、ＳＦＰ（Small Form factor Pluggable）などの小型の光トランシーバであってよい。光受信器１８から出力された電気信号（以下、「受信データ信号」と呼ぶ）は、誤り訂正部２０に入力される。
【００２１】
誤り訂正部２０は、入力された受信データ信号に付与されたＦＥＣ符号に基づいて、受信データ信号の符号誤り訂正処理を行う。受信データ信号の符号誤り訂正を行った場合、誤り訂正部２０は、誤り訂正数をカウントし、ＲＸＤＴＶ制御部１９に伝える。
【００２２】
ＲＸＤＴＶ制御部１９は、誤り訂正部２０からの誤り訂正数に基づいて、光受信器１８が電気信号の識別再生を行う際に用いるＲＸＤＴＶを最適値に制御する。具体的にはＲＸＤＴＶ制御部１９は、誤り訂正部２０から送られてくる誤り訂正数が最少となるＲＸＤＴＶの値を探索し、ＲＸＤＴＶをその値に設定する。また、ＲＸＤＴＶ制御部１９は、誤り訂正部２０から受信した誤り訂正数をメイン制御部２２に送る。
【００２３】
メイン制御部２２には各ラインカード２１−１〜２１−ｎのＲＸＤＴＶ制御部１９から誤り訂正数が送られてくる。つまり、メイン制御部２２は、分波器１７で分波された全波長λ１〜λｎの光信号について誤り訂正数を監視している。本実施形態において、メイン制御部２２は、ＲＸＤＴＶ制御部１９からの誤り訂正数情報に基づいて、光増幅器１６の利得を調整することができる。また、メイン制御部２２は、各ラインカードのＲＸＤＴＶ制御部１９に対して、ＲＸＤＴＶの最適値調整を指示することができる。
【００２４】
図５は、本発明の実施形態に係る光受信装置１１の動作を説明するためのフローチャートである。図５に示すフローチャートは、ラインカードの起動時に実行される。ここでは、ある波長λ１の光信号を受信するラインカード２１−１を起動する場合を例として説明する。ラインカード２１−１の起動時、他の波長λ２〜λｎの光信号を受信する他のラインカード２１−２〜２１−ｎは通常の運用状態、すなわち主信号が通っているインサービス中であるとする。
【００２５】
ラインカード２１−１が起動すると、光受信器１８、ＲＸＤＴＶ制御部１９、誤り訂正部２０等の電源が入り、ＲＸＤＴＶの調整が始まる。このとき、メイン制御部２２はまず、一定時間（例えば１秒間）における波長λ２〜λｎの光信号の誤り訂正数をラインカード２１−２〜２１−ｎから取得する（Ｓ１０）。誤り訂正数を取得することにより、波長λ２〜λｎにおける符号誤りの発生状態を確認することができる。
【００２６】
次に、メイン制御部２２は、取得した誤り訂正数の最大値が所定の閾値未満であるか否か判定する（Ｓ１２）。この閾値は、誤り訂正部２０の誤り訂正能力を考慮して定められる。例えば、誤り訂正部２０が、１×１０−３の符号誤り率を１×１０−１２以下の符号誤り率に低減する訂正能力を有しているとする。１×１０−３の符号誤り率とは、伝送速度が１０Ｇｂｐｓの場合、１秒間に１０００万個の符号誤りが生じている状態である。この場合、閾値を１０００万より小さい値、例えば１０万個に設定する。
【００２７】
誤り訂正数の最大値が所定の閾値未満である場合（Ｓ１２のＹ）、メイン制御部２２は、光増幅器１６の利得を下げる。例えば、光増幅器１６の利得を３ｄＢ下げると、波長λ２〜λｎの光信号は、光増幅器１６から発生するホワイトノイズに埋もれることにより符号誤り率が劣化し、誤り訂正部２０の誤り訂正数が増加する。その後、Ｓ１０に戻って波長λ２〜λｎの誤り訂正数を取得し、再度閾値と誤り訂正数の最大値とを比較する（Ｓ１２）。
【００２８】
Ｓ１０〜Ｓ１４の処理を繰り返すことにより、波長λ２〜λｎの光信号の符号誤り率が誤り訂正部２０の訂正能力（１×１０−３）を超えない範囲で、光増幅器１６の利得を通常運用時よりも低下させることができる。すなわち、光増幅器１６の利得を通常運用時よりも低下させても、波長λ２〜λｎの光信号をエラーフリーと見なせる１×１０−１２以下の符号誤り率に訂正できるので、サービス中の波長λ２〜λｎの光信号に利得低下の影響は生じない。なお、Ｓ１４における光増幅器１６の利得の下げ幅を大きくしてしまうと、波長λ２〜λｎの光信号の符号誤り率が急激に悪化し、誤り訂正部２０の訂正能力を超えてしまうおそれがある。一方でＳ１４における利得の下げ幅を小さくし過ぎてしまうと、光増幅器１６の利得を下げるのに時間がかかる。従って、Ｓ１４における利得の下げ幅は、これらの点を考慮して適切な幅に設定することが望ましい。
【００２９】
一方、誤り訂正数の最大値が所定の閾値以上である場合（Ｓ１２のＮ）、メイン制御部２２は、ラインカード２１−１の光受信器１８のＲＸＤＴＶを最適値に調整する（Ｓ１６）。ＲＸＤＴＶは０％〜１００％の範囲があり、この範囲内で図１に見られるような符号誤り率の谷が存在するので、何点かＲＸＤＴＶの値を変化させて、誤り訂正数が最少となる点を探索する。
【００３０】
このＲＸＤＴＶの最適値を探索する処理の際に、光増幅器１６の利得を下げた効果が発揮される。例えば、１０Ｇｂｐｓの信号の符号誤り率を１×１０−１２から１×１０−９に劣化させた場合、１００秒に１回しか誤り訂正が発生しなかったのが、１００ｍ秒に１回誤り訂正が発生することになる。従って、１個の誤り訂正を検出するのに要する時間が１０００分の１になり、誤り訂正数をモニタする時間を大幅に短縮できる。誤り訂正数をモニタする時間が誤り訂正数の発生頻度に対して短すぎる場合、真の最適値からずれた値にＲＸＤＴＶを設定してしまう可能性があるが、本実施形態によれば、モニタ時間が短くても十分な誤り訂正数を取得できるので、このような事態を回避できる。
【００３１】
Ｓ１６においてＲＸＤＴＶを最適値に調整した後、メイン制御部２２は、光増幅器１６の利得を元の利得に戻す（Ｓ１８）。これでラインカード２１−１の起動時におけるＲＸＤＴＶの調整が終了する。
【００３２】
上記においては、ラインカードの起動時のＲＸＤＴＶの最適値調整について説明したが、メイン制御部２２は、光受信装置１１の通常運用中に、各ラインカード２１−１〜２１−ｎの光受信器１８について順次ＲＸＤＴＶの最適値調整を行ってもよい。ＲＸＤＴＶの最適値は、温度や入力光レベルなどの外部環境の変動によって影響を受ける。従って、起動時にＲＸＤＴＶを最適化するだけでは不十分な可能性があり、運用中でも再調整が必要な場合がある。通常運用中のＲＸＤＴＶの最適値制御は、図５のフローチャートで説明した制御と同様である。運用中の光信号に十分な誤り訂正数が発生していない場合、運用中の光信号の中で訂正数が最大の光信号に着目して光増幅器１６の利得を下げることにより、サービスを止めることなく各光信号に関してＲＸＤＴＶの再調整を行うことができる。
【００３３】
図２で説明したようにＲＸＤＴＶの最適値と分散量には相関関係がある。つまり、ある分散量での最適値が分かっていれば、それを初期値として使うことできる。図６は、光ファイバにおける波長と分散の関係の一例を示す。図６に示す関係から、任意の波長間の分散量の差を推測することができる。例えば、１５３２ｎｍの波長を８０ｋｍ伝送したときの分散量が１２９４ｐｓ／ｎｍであった場合、１５５２ｎｍの波長では分散量が１３７４ｐｓ／ｎｍと計算することができる。また、図２のグラフを例にすると、ＲＸＤＴＶの最適値と分散量の関係は
ＲＸＤＴＶの最適値［％］＝０．０２８［％／（ｐｓ／ｎｍ）］×分散量［ｐｓ／ｎｍ］
となることから、波長毎の分散量差がわかればＲＸＤＴＶの最適値も推測できることができる。前述の例で計算すると、例えば、波長１５３２ｎｍの光信号のＲＸＤＴＶの最適値が５０％であれば、波長１３７４ｎｍの光信号のＲＸＤＴＶの最適値は、０．０２８×（１３７４−１２９４）＝２．２４％を５０％にプラスした５２．２４％であると推測することができる。
【００３４】
図７は、本発明の実施形態に係る光受信装置１１の別の動作を説明するためのフローチャートである。図５のフローチャートでは、メイン制御部２２は、ある波長の光信号を受信するラインカードの起動時に、他の波長の光信号の誤り訂正数のみを確認していたが、本フローチャートではこれに加えて、最適値に調整済みの他のラインカードの光受信器のＲＸＤＴＶを確認する。そして、メイン制御部２２は、上記のようなＲＸＤＴＶの最適値と分散量の関係を利用して探索対象の波長のＲＸＤＴＶの最適値を計算し、この最適値を探索の初期値に設定する（Ｓ８）。このようにある光受信器のＲＸＤＴＶの最適値を探索する際に、最適値に調整済みの他の光受信器のＲＸＤＴＶを参照して、最適値探索の初期値を計算および設定することにより、探索の範囲を狭めることができるので、ＲＸＤＴＶの最適値探索を高速化することができる。なお、図７のフローチャートではＳ８をＳ１０の前に設けたが、Ｓ８は、ＲＸＤＴＶの最適値調整を行うＳ１６の前であればどこに設けられてもよい。
【００３５】
以上述べたように、本実施形態においては、ある波長の光信号を受信する光受信器１８のＲＸＤＴＶを調整するときに、他の波長の光信号の符号誤り発生状態が誤り訂正部２０の訂正能力を超えない範囲で光増幅器１６の利得を通常運用時よりも低下させ、その状態でＲＸＤＴＶを最適値に調整するよう光受信装置１１を構成した。これにより、他の波長の光信号のサービスを継続したまま、調整対象の光受信器１８のＲＸＤＴＶを最適値に調整できる。また、光増幅器１６の利得を低下させることにより符号誤りの発生頻度が高まるので、短時間で正確にＲＸＤＴＶの最適値を探索できる。
【００３６】
図８は、本発明の別の実施形態に係る光受信装置１１の構成を示す。図８に示す光受信装置１１は、光増幅器１６の前段に可変光減衰器（ＶＯＡ：Variable Optical Attenuator）４０が設けられている点が図３に示す光受信装置と異なる。そして、メイン制御部２２は、ＲＸＤＴＶ制御部１９からの誤り訂正数情報に基づいて、可変光減衰器４０の減衰量を制御する。その他のラインカード等の構成要素については、図３に示す光受信装置と同様であるので、詳細な説明は省略する。
【００３７】
図９は、本発明の別の実施形態に係る光受信装置１１の動作を説明するためのフローチャートである。図９に示すフローチャートは、ラインカードの起動時または光受信装置１１の通常運用中に実行される。ここでは、波長λ１の光信号を受信するラインカード２１−１の光受信器１８におけるＲＸＤＴＶの調整について説明する。
【００３８】
まず、メイン制御部２２は、一定時間（例えば１秒間）における波長λ２〜λｎの光信号の誤り訂正数をラインカード２１−２〜２１−ｎから取得する（Ｓ２０）。誤り訂正数を取得することにより、波長λ２〜λｎにおける符号誤りの発生状態を確認することができる。
【００３９】
次に、メイン制御部２２は、取得した誤り訂正数の最大値が所定の閾値未満であるか否か判定する（Ｓ２２）。誤り訂正数の最大値が所定の閾値未満である場合（Ｓ２２のＹ）、メイン制御部２２は、可変光減衰器４０の減衰量を上げる。これにより、波長λ２〜λｎの光信号は、光信号対雑音比が劣化することにより符号誤り率が劣化し、誤り訂正部２０の誤り訂正数が増加する。その後、Ｓ２０に戻って波長λ２〜λｎの誤り訂正数を取得し、再度閾値と誤り訂正数の最大値とを比較する（Ｓ２２）。
【００４０】
Ｓ２０〜Ｓ２４の処理を繰り返すことにより、波長λ２〜λｎの光信号の符号誤り率が誤り訂正部２０の訂正能力を超えない範囲で、可変光減衰器４０の減衰量を通常運用時よりも増加させることができる。なお、Ｓ２４における可変光減衰器４０の減衰量の上げ幅を大きくしてしまうと、波長λ２〜λｎの光信号の符号誤り率が急激に悪化し、誤り訂正部２０の訂正能力を超えてしまうおそれがある。一方でＳ２４における減衰量の上げ幅を小さくし過ぎてしまうと、可変光減衰器４０の減衰量を上げるのに時間がかかる。従って、Ｓ２４における減衰量の上げ幅は、これらの点を考慮して適切な幅に設定することが望ましい。
【００４１】
一方、誤り訂正数の最大値が所定の閾値以上である場合（Ｓ２２のＮ）、メイン制御部２２は、ラインカード２１−１の光受信器１８のＲＸＤＴＶを最適値に調整する（Ｓ２６）。このＲＸＤＴＶの最適値を探索する処理の際に、可変光減衰器４０の減衰量を上げた効果が発揮される。
【００４２】
Ｓ２６においてＲＸＤＴＶを最適値に調整した後、メイン制御部２２は、可変光減衰器４０の減衰量を元の減衰量に戻す（Ｓ２８）。これでラインカード２１−１の光受信器１８におけるＲＸＤＴＶの調整が終了する。
【００４３】
図８に示す実施形態では、可変光減衰器４０を光増幅器１６の前段に設けたが、可変光減衰器４０は光増幅器１６の後段に設けられてもよい。また、図９に示すフローチャートにおいても、図７で説明した最適値探索の初期値の計算および設定のステップを行ってもよい。
【００４４】
以上述べたように、本実施形態においては、ある波長の光信号を受信する光受信器１８のＲＸＤＴＶを調整するときに、他の波長の光信号の符号誤り発生状態が誤り訂正部２０の訂正能力を超えない範囲で可変光減衰器４０の減衰量を通常運用時よりも上昇させ、その状態でＲＸＤＴＶを最適値に調整するよう光受信装置１１を構成した。これにより、他の波長の光信号のサービスを継続したまま、調整対象の光受信器１８のＲＸＤＴＶを最適値に調整できる。また、可変光減衰器４０の減衰量を上昇させることにより符号誤りの発生頻度が高まるので、短時間で正確にＲＸＤＴＶの最適値を探索できる。
【００４５】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００４６】
１０  光送信装置、  １１  光受信装置、  １２  光伝送路、  １４  光送信器、  １５  合波器、  １６  光増幅器、  １７  分波器、  １８  光受信器、  １９  ＲＸＤＴＶ制御部、  ２０  誤り訂正部、  ２１−１〜２１−ｎ  ラインカード、  ２２  メイン制御部、  ４０  可変光減衰器、  １００  光伝送装置。
【図１】
0005863172.tif 000002
【図２】
0005863172.tif 000003
【図３】
0005863172.tif 000004
【図４】
0005863172.tif 000005
【図５】
0005863172.tif 000006
【図６】
0005863172.tif 000007
【図７】
0005863172.tif 000008
【図８】
0005863172.tif 000009
【図９】
0005863172.tif 000010